(57)【要約】【課題】４チャネルが使用可能なＰＨＳにおいて、早期に待ち受け状態になることが可能なＰＨＳ端末を提供する。【解決手段】内線番号を登録した基地局の１２ＣＨと１８ＣＨが登録されたＰＨＳ端末であって、制御チャネルをサーチする際に、１２ＣＨと１８ＣＨの一方の１２ＣＨを検索し、待ち受け状態にならない場合に所定時間後に、登録されていない３５ＣＨまたは３７ＣＨの一方の３５ＣＨを検索し、待ち受け状態にならない場合に所定時間後に、１２ＣＨと１８ＣＨの他方の１８ＣＨを検索し、待ち受け状態にならない場合に所定時間後に、３５ＣＨまたは３７ＣＨの他方の３７ＣＨを検索する、という検索手順を待ち受け状態になるまで繰り返す。【選択図】図２
2020072418.tif 000002
【特許請求の範囲】
【請求項１】
内線番号を登録した基地局の第１の制御チャネルと第２の制御チャネルが登録されたＰＨＳ端末であって、制御チャネルをサーチする際に、
前記第１の制御チャネルまたは前記第２の制御チャネルの一方の制御チャネルを検索し、待ち受け状態にならない場合に所定時間後に、登録されていない第３の制御チャネルまたは第４の制御チャネルの一方の制御チャネルを検索し、待ち受け状態にならない場合に所定時間後に、前記第１の制御チャネルまたは前記第２の制御チャネルの他方の制御チャネルを検索し、待ち受け状態にならない場合に所定時間後に、前記第３の制御チャネルまたは前記第４の制御チャネルの他方の制御チャネルを検索する、という検索手順を待ち受け状態になるまで繰り返す、
ことを特徴とするＰＨＳ端末。
【請求項２】
前記検索手順を開始する当初における前記所定時間を、その後の前記検索手順における前記所定時間よりも短く設定する、
ことを特徴とする請求項１に記載のＰＨＳ端末。
【発明の詳細な説明】
【技術分野】
【０００１】
本発明は、ＰＨＳ（Ｐｅｒｓｏｎａｌ  Ｈａｎｄｙ−ｐｈｏｎｅ  Ｓｙｓｔｅｍ）端末に関し、特に、制御チャネルをサーチする機能を備えたＰＨＳ端末に関する。
【背景技術】
【０００２】
従来、ＰＨＳにおけるオフィス（ＰＢＸ、構内交換機）のＢＳ（Ｂａｓｅ  Ｓｔａｔｉｏｎ、基地局）の制御チャネルは、例えば１２ＣＨと１８ＣＨの２チャネルが使用可能となっており、ＢＳにおいてＰＨＳ端末が内線番号を登録すると、そのＢＳの制御チャネルを登録・記憶する。そして、オフィスのＢＳをサーチするためにＰＨＳ端末は、まず、記憶された制御チャネルのうち一方の制御チャネル（例えば、１２ＣＨ）をサーチする。その結果、待ち受けできるオフィスのＢＳがない場合には、所定時間（例えば、１０秒）待って、他方の制御チャネル（例えば、１８ＣＨ）をサーチする、という手順を採っていた。
【０００３】
また、接続装置からの無線による制御信号に対して電波干渉が発生し、同期がとれなくなった場合に、再同期を効率的に行うというＰＨＳ無線移動局が知られている（例えば、特許文献１参照。）。このＰＨＳ無線移動局は、接続装置（ＢＳ）から２つの制御周波数による論理制御チャネル（ＬＣＣＨ）の送信タイミングの時間差を保持する記憶部を備え、一方の制御周波数による論理制御チャネルに同期している状態で、このチャネル同期が電波干渉により異常となった場合、記憶部の情報を基に、他方の制御周波数の論理制御チャネルに再同期するものである。
【先行技術文献】
【特許文献】
【０００４】
【特許文献１】特開２０００−７８６５９号公報
【発明の概要】
【発明が解決しようとする課題】
【０００５】
ところで、近年の移動通信トラフィックの増加に伴い、ＰＨＳで使用可能な制御チャネルが２チャネルから４チャネルに増やされることになった。このため、４チャネルのなかから適正な制御チャネルをサーチして待ち受けできるようにする必要があるが、従来のサーチ方法や特許文献１に記載のＰＨＳ無線移動局では、登録された２チャネル（例えば、１２ＣＨと１８ＣＨ）のみをサーチできるだけで、他の２チャネル（例えば、３５ＣＨと３７ＣＨ）をサーチすることができない。
【０００６】
一方、使用可能な制御チャネルが２チャネルから４チャネルに増えたことから、従来の２チャネルの場合に比べてサーチに長時間を要することが予測されるが、できる限り早く待ち受け状態にすることが望まれる。
【０００７】
そこで本発明は、４チャネルが使用可能なＰＨＳにおいて、早期に待ち受け状態（通信可能状態）になることが可能なＰＨＳ端末を提供することを目的とする。
【課題を解決するための手段】
【０００８】
上記課題を解決するために、請求項１に記載の発明は、内線番号を登録した基地局の第１の制御チャネルと第２の制御チャネルが登録されたＰＨＳ端末であって、制御チャネルをサーチする際に、前記第１の制御チャネルまたは前記第２の制御チャネルの一方の制御チャネルを検索し、待ち受け状態にならない場合に所定時間後に、登録されていない第３の制御チャネルまたは第４の制御チャネルの一方の制御チャネルを検索し、待ち受け状態にならない場合に所定時間後に、前記第１の制御チャネルまたは前記第２の制御チャネルの他方の制御チャネルを検索し、待ち受け状態にならない場合に所定時間後に、前記第３の制御チャネルまたは前記第４の制御チャネルの他方の制御チャネルを検索する、という検索手順を待ち受け状態になるまで繰り返す、ことを特徴とする。
【０００９】
請求項２に記載の発明は、請求項１に記載のＰＨＳ端末において、前記検索手順を開始する当初における前記所定時間を、その後の前記検索手順における前記所定時間よりも短く設定する、ことを特徴とする。
【発明の効果】
【００１０】
請求項１に記載の発明によれば、まず、内線番号が登録された基地局の第１の制御チャネルまたは第２の制御チャネルの一方の制御チャネル、つまり、最も待ち受け状態になる可能性が高いと考えられる制御チャネルを検索するため、早期に待ち受け状態になることが可能となる。次に、待ち受け状態にならない場合に、当基地局のエリア、圏内から移動した可能性が考えられるため、登録されていない第３の制御チャネルまたは第４の制御チャネルの一方の制御チャネルを検索することで、早期に待ち受け状態になることが可能となる。
【００１１】
さらに、待ち受け状態にならない場合に、先のように待ち受け状態になる可能性が高いと考えられる当基地局の第１の制御チャネルまたは第２の制御チャネルの他方の制御チャネルを検索するため、早期に待ち受け状態になることが可能となる。それでも待ち受け状態にならない場合に、登録されていない第３の制御チャネルまたは第４の制御チャネルの他方の制御チャネルを検索するため、確実に待ち受け状態にすることが可能となる。
【００１２】
請求項２に記載の発明によれば、検索手順を開始する当初における所定時間、例えば、１回目の検索手順での所定時間が、その後の検索手順における所定時間、つまり、２回目以降の検索手順での所定時間よりも短く設定されている。すなわち、１回目の検索手順では短い時間だけ待って順次検索を行うため、早期に待ち受け状態にすることが可能となる。一方、２回目以降の検索手順では長い時間待って順次検索を行うため、例えば、短い時間でスリープモードと起動を繰り返す必要がなくなり、電池の消費、劣化を抑制することが可能となる。
【図面の簡単な説明】
【００１３】
【図１】この発明の実施の形態に係るＰＨＳ端末を示す概略構成ブロック図である。
【図２】図１のＰＨＳ端末の制御チャネルのサーチ方法を示す第１の説明図である。
【図３】図２の続きのサーチ方法を示す第２の説明図である。
【図４】図１のＰＨＳ端末の制御チャネルのサーチ方法を示すフローチャートである。
【図５】図１のＰＨＳ端末がエリアＡとエリアＢとの間を移動したり、エリアＢで電源オンしたりする状況を示す概念図である。
【図６】この発明の実施の形態において、３つの基地局を有する場合の制御チャネルの組み合わせ例を示す図である。
【発明を実施するための形態】
【００１４】
以下、この発明を図示の実施の形態に基づいて説明する。
【００１５】
図１〜図５は、この発明の実施の形態を示し、図１は、この実施の形態に係るＰＨＳ端末１を示す概略構成ブロック図である。このＰＨＳ端末１は、制御チャネルをサーチする方法・機能が従来のＰＨＳ端末と異なり、その他の構成については従来のＰＨＳ端末と同等であるため、その詳説を省略するが、概略次のような構成となっている。すなわち、マイクからの音声等が信号処理部２で信号処理されて変調部３１で変調され、送信部３２およびアンテナ５を介して外部に送出される。また、アンテナ５および受信部４２で受信された外部からの音声等が、復調部４１で復調されて信号処理部２で信号処理され、スピーカから出力される。一方、中央処理部７でチャネル切替部６が制御されて、送信部３２および受信部４２で使用される制御チャネルが切り替えられる。
【００１６】
次に、このＰＨＳ端末１による制御チャネルのサーチ方法・機能、具体的には、オフィスで複数の基地局が運用されている環境下で待ち受けできる基地局をサーチする方法について説明する。ここで、この実施の形態では、図５に示すように、基地局Ａ（ＢＳ（Ａ））で使用可能な制御チャネルが１２ＣＨ（第１の制御チャネル）と１８ＣＨ（第２の制御チャネル）で、エリアＡ内が圏内で待ち受け可能（通信可能）であるとする。同様に、基地局Ｂ（ＢＳ（Ｂ））で使用可能な制御チャネルが３５ＣＨ（第３の制御チャネル）と３７ＣＨ（第４の制御チャネル）で、エリアＢ内が圏内で待ち受け可能（通信可能）であるとする。
【００１７】
また、内線のＰＨＳ端末１には２つの制御チャネルを登録可能で、この実施の形態では、ＰＨＳ端末１は、基地局Ａで内線番号が登録され、基地局Ａの制御チャネルである１２ＣＨと１８ＣＨが登録されているものとする。そして、例えば、ＰＨＳ端末１を所持、使用しているユーザが、エリアＡとエリアＢとの間を移動したり、エリアＢで電源をオンしたりした場合に、次のようにして制御チャネルをサーチして待ち受け可能な状態にする。なお、このサーチ方法・機能は、チャネル切替部６と中央処理部７とで行われる。
【００１８】
まず、１回目の検索手順では、図４に示すように、第１の検索として、登録されている１２ＣＨまたは１８ＣＨの一方の制御チャネル、この実施の形態では１２ＣＨを検索する（ステップＳ１）。この際、図２に示すように、エリアＡ内では「ホーム検索」のタイミングで待ち受け可能となる。ここで、ＰＨＳ端末１は、最初に「ホーム検索」を実行し、次に、「ローミング検索」を実行する。
【００１９】
次に、図４に示すように、待ち受け状態にならない場合（ステップＳ２で「Ｎ」の場合）、第１の所定時間待って、第２の検索として、登録されていない３５ＣＨまたは３７ＣＨの一方の制御チャネル、この実施の形態では３５ＣＨを検索する（ステップＳ３）。この際、図２に示すように、エリアＢ内では「ローミング検索」のタイミングで待ち受け可能となり、また、第１の所定時間は２秒に設定されている。
【００２０】
続いて、図４に示すように、待ち受け状態にならない場合（ステップＳ４で「Ｎ」の場合）、第１の所定時間待って、第３の検索として、登録されている１２ＣＨまたは１８ＣＨの他方の制御チャネル、この実施の形態では１８ＣＨを検索する（ステップＳ５）。この際、図２に示すように、エリアＡ内では「ホーム検索」のタイミングで待ち受け可能となり、また、第１の所定時間は２秒に設定されている。
【００２１】
さらに、図４に示すように、待ち受け状態にならない場合（ステップＳ６で「Ｎ」の場合）、第１の所定時間待って、第４の検索として、登録されていない３５ＣＨまたは３７ＣＨの他方の制御チャネル、この実施の形態では３７ＣＨを検索する（ステップＳ７）。この際、図２に示すように、エリアＢ内では「ローミング検索」のタイミングで待ち受け可能となり、また、第１の所定時間は２秒に設定されている。
【００２２】
そして、待ち受け状態にならない場合（ステップＳ８で「Ｎ」の場合）には、このような検索手順（ステップＳ１〜Ｓ８）を待ち受け状態になるまで繰り返す。その際、２回目以降の検索手順では、図２、図３に示すように、各制御チャネルを第２の所定時間待って順次検索し、第２の所定時間は１０秒に設定されている。このように、検索手順を開始する当初（1回目の検索手順）の所定時間つまり第１の所定時間が、その後の検索手順（２回目以降の検索手順）における所定時間つまり第２の所定時間よりも短く設定されている。ここで、第１の所定時間は、エリアＡ、Ｂ間での移動等を行っても早期に待ち受け状態になることが可能な比較的短い時間に設定され、第２の所定時間は、外出して完全に圏外になった場合などに電池の劣化を抑制可能な比較的長い時間に設定される。
【００２３】
このようなＰＨＳ端末１および制御チャネルのサーチ方法によれば、まず、内線番号が登録された基地局Ａの１２ＣＨまたは１８ＣＨの一方の制御チャネルである１２ＣＨ、つまり、ユーザがエリアＡ内にいて最も待ち受け状態になる可能性が高いと考えられる１２ＣＨを検索するため、早期に待ち受け状態になることが可能となる。次に、待ち受け状態にならない場合に、ユーザが基地局ＡのエリアＡから移動した可能性が考えられるため、登録されていない基地局Ｂの３５ＣＨまたは３７ＣＨの一方の制御チャネルである３５ＣＨを検索することで、早期に待ち受け状態になることが可能となる。
【００２４】
さらに、待ち受け状態にならない場合に、先のように待ち受け状態になる可能性が高いと考えられる基地局Ａの１２ＣＨまたは１８ＣＨの他方の制御チャネルである１８ＣＨを検索するため、早期に待ち受け状態になることが可能となる。それでも待ち受け状態にならない場合に、登録されていない基地局Ｂの３５ＣＨまたは３７ＣＨの他方の制御チャネルである３７ＣＨを検索するため、確実に待ち受け状態にすることが可能となる。
【００２５】
このようにして、４チャネルが使用可能なＰＨＳにおいても早期に待ち受け状態になることが可能なため、例えば、図５に示すように、ＰＨＳ端末１を所持、使用しているユーザが、エリアＡとエリアＢとの間（隣の部屋間や上下階間）を移動したり、エリアＢで電源をオンしたりした場合であっても、すぐに圏内状態にすることが可能となる。
【００２６】
また、検索手順を開始する当初における所定時間、つまり、１回目の検索手順での第１の所定時間（２秒）が、その後の検索手順における所定時間、つまり、２回目以降の検索手順での第２の所定時間（１０秒）よりも短く設定されている。すなわち、１回目の検索手順では短い時間だけ待って順次検索を行うため、早期に待ち受け状態にすることが可能となる。一方、２回目以降の検索手順では長い時間待って順次検索を行うため、例えば、短い時間でスリープモードと起動を繰り返す必要がなくなり、電池の消費、劣化を抑制することが可能となる。
【００２７】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、１回目の検索手順で検索する際の所定時間（待ち時間）を２秒とし、２回目以降の検索手順で検索する際の所定時間を１０秒としているが、その他の時間に設定してもよい。例えば、１回目と２回目の検索手順で検索する際の所定時間を２秒とし、３回目以降の検索手順で検索する際の所定時間を１０秒としてもよい。また、検索手順の途中、例えば、２回目の検索手順の１８ＣＨの検索以降を１０秒にしてもよい。
【００２８】
また、基地局Ａで使用可能な制御チャネルが１２ＣＨと１８ＣＨで、基地局Ｂで使用可能な制御チャネルが３５ＣＨと３７ＣＨの場合について説明したが、各基地局で使用可能な制御チャネルの組み合わせはどのようなものでよい。例えば、基地局Ａで使用可能な制御チャネルが１２ＣＨと３５ＣＨで、基地局Ｂで使用可能な制御チャネルが１８ＣＨと３７ＣＨであってもよい。
【００２９】
さらに、２つの基地局Ａ、ＢおよびエリアＡ、Ｂが存在する場合について説明したが、３つ以上の基地局およびエリアが存在する場合でも同様にして、制御チャネルをサーチすることができる。例えば、図６に示すように、基地局Ａ（ＢＳ（Ａ））で使用可能な制御チャネルが１２ＣＨと１８ＣＨでエリアＡが圏内で、基地局Ｂ（ＢＳ（Ｂ））で使用可能な制御チャネルが３５ＣＨと３７ＣＨでエリアＢが圏内で、基地局Ｃ（ＢＳ（Ｃ））で使用可能な制御チャネルが１２ＣＨと３５ＣＨでエリアＣが圏内で、内線のＰＨＳ端末１は、基地局Ｃで内線番号が登録され１２ＣＨと３５ＣＨが登録されているものとする。
【００３０】
この場合、例えば、第１に１２ＣＨを検索して所定時間後に、第２に１８ＣＨまたは３７ＣＨの一方を検索して所定時間後に、第３に３５Ｈを検索して所定時間後に、第４に１８ＣＨまたは３７ＣＨの他方を検索する。あるいは、第１に３５ＣＨを検索して所定時間後に、第２に１８ＣＨまたは３７ＣＨの一方を検索して所定時間後に、第３に１２Ｈを検索して所定時間後に、第４に１８ＣＨまたは３７ＣＨの他方を検索する。
【００３１】
ここで、例えば、１２ＣＨが基地局Ａ（エリアＡ）と基地局Ｃ（エリアＣ）で使用可能であるが、ＰＨＳ端末１を所持、使用しているユーザがエリアＣ内にいる場合には、「ホーム検索」のタイミングで１２ＣＨを待ち受け可能となる。一方、ＰＨＳ端末１を所持、使用しているユーザがエリアＡ内にいる場合には、「ローミング検索」のタイミングで１２ＣＨを待ち受け可能となる。
【００３２】
１        ＰＨＳ端末
２        信号処理部
３１      変調部
３２      送信部
４１      復調部
４２      受信部
５        アンテナ
６        チャネル切替部
７        中央処理部
１２ＣＨ  第１の制御チャネル
１８ＣＨ  第２の制御チャネル
３５ＣＨ  第３の制御チャネル
３７ＣＨ  第４の制御チャネル
ＢＳ（Ａ）  基地局Ａ
ＢＳ（Ｂ）  基地局Ｂ
ＢＳ（Ｃ）  基地局Ｃ
【図１】
2020072418.tif 000003
【図２】
2020072418.tif 000004
【図３】
2020072418.tif 000005
【図４】
2020072418.tif 000006
【図５】
2020072418.tif 000007
【図６】
2020072418.tif 000008